(57)【要約】【課題】設置作業性の向上したプリンタを提供する。【解決手段】本発明により、プリンタ持上用治具５０を取り付ける治具取付部を底面に有するプリンタ１０が提供される。プリンタ持上用治具５０は、プリンタ１０に取り付けられる被取付部と、紐状体５４を連結する連結部と、を有し、プリンタ持上用治具５０を取り付け、上記連結部に紐状体５４を連結させた状態において、紐状体５４で持ち上げ可能に構成されている。【選択図】図９
2020104302.tif 000002
【特許請求の範囲】
【請求項１】
底面に、プリンタ持上用治具を取り付ける治具取付部を有するプリンタであって、
前記プリンタ持上用治具は、前記プリンタに取り付けられる被取付部と、紐状体を連結する連結部と、を有するものであり、
前記プリンタの前記治具取付部に前記プリンタ持上用治具の前記被取付部を取り付け、前記連結部に前記紐状体を連結させた状態において、前記紐状体で持ち上げ可能に構成されている、プリンタ。
【請求項２】
底面に、前記プリンタを支持するためのスタンドを取り付けるスタンド取付部をさらに有し、
前記治具取付部は、前記プリンタ持上用治具を取り付けたときに、前記プリンタ持上用治具が前記スタンド取付部と干渉しない位置に配設されている、
請求項１に記載のプリンタ。
【請求項３】
前記治具取付部は、長辺方向において、前記スタンド取付部を挟んだ両側に配設されている、
請求項２に記載のプリンタ。
【請求項４】
前記治具取付部は、長辺方向の両端部にそれぞれ配設されている、
請求項１から３のいずれか一項に記載のプリンタ。
【請求項５】
請求項１から３のいずれか一項に記載のプリンタと、
前記プリンタが載置されている梱包部材と、
を備える、プリンタ梱包体。
【請求項６】
前記梱包部材には、本体部と前記本体部から切り取られる除去部とを区画する切り取り線が設けられており、
前記除去部は、前記プリンタの前記治具取付部と対向する部分に配置されている、
請求項５に記載のプリンタ梱包体。
【請求項７】
前記梱包部材の厚みが、前記プリンタ持上用治具の厚みよりも厚い、
請求項５または６に記載のプリンタ梱包体。
【請求項８】
プリンタに取り付けられる被取付部と、紐状体を連結する連結部と、を有する、プリンタ持上用治具。
【請求項９】
前記連結部が、前記紐状体を挿通する貫通孔を有する、
請求項８に記載のプリンタ持上用治具。
【請求項１０】
少なくとも１つの平面を有し、
前記被取付部は前記平面に配設されており、
前記平面が前記プリンタと面で当接するように前記プリンタに取り付けられる、
請求項８または９に記載のプリンタ持上用治具。
【請求項１１】
底面に治具取付部を有するプリンタと、
紐状体を連結する連結部を有し、前記プリンタの前記治具取付部に取り付けられているプリンタ持上用治具と、
を備え、
前記連結部に前記紐状体を連結させた状態において、前記紐状体で持ち上げ可能に構成されている、プリンタユニット。
【請求項１２】
平面視で、前記プリンタ持上用治具の外形が前記プリンタの外形の中に収まっている、
請求項１１に記載のプリンタユニット。
【請求項１３】
複数の前記プリンタ持上用治具を備え、
複数の前記プリンタ持上用治具は、前記プリンタの重心に対して対称の位置に配設されている、
請求項１１または１２に記載のプリンタユニット。
【請求項１４】
底面に、プリンタ持上用治具を取り付ける治具取付部を有するプリンタを用意する用意工程と、
前記プリンタに取り付けられる被取付部と、紐状体を連結する連結部と、を有するプリンタ持上用治具を用意し、前記プリンタの前記治具取付部に前記プリンタ持上用治具の前記被取付部を取り付ける、治具取付工程と、
前記連結部に前記紐状体を連結し、少なくとも前記紐状体を使用して前記プリンタを運搬する、運搬工程と、
前記プリンタを支持するスタンドを用意し、前記スタンドの上に前記プリンタを固定する、組立工程と、
を包含する、プリンタシステムの設置方法。
【請求項１５】
前記治具取付工程において、前記連結部が、前記紐状体を挿通する貫通孔を有し、前記貫通孔に前記紐状体を挿通させる、
請求項１４に記載の設置方法。
【請求項１６】
前記治具取付工程において、前記プリンタの長辺方向と前記貫通孔の延びる方向とが交差するように前記プリンタ持上用治具を取り付ける、
請求項１５に記載の設置方法。
【請求項１７】
前記治具取付工程において、複数の前記プリンタ持上用治具を用意し、前記プリンタの重心に対して対称の位置に、複数の前記プリンタ持上用治具を取り付ける、
請求項１４から１６のいずれか一項に記載の設置方法。
【発明の詳細な説明】
【技術分野】
【０００１】
本発明は、プリンタおよびプリンタ持上用治具ならびにプリンタシステムの設置方法に関する。
【背景技術】
【０００２】
従来から、大判サイズの記録媒体に対して印刷を行う大型プリンタが知られている。大型プリンタのなかには、重量が１５０ｋｇ、さらには２００ｋｇを超えたり、外形寸法の幅が２ｍを超えたりするものがある。このような重たいおよび／または大きなプリンタを搬入・設置する際には、プリンタを４人以上（例えば４〜８人）で持ち上げることが推奨されている。
【０００３】
これに関連して、例えば、プリンタと、プリンタを支持するスタンドと、プリンタを持ち上げるための長棒状の持ち手部材（キャリングバー、搬送ブラケットなどともいう。）と、がまとめて梱包されているプリンタ梱包体がある。上記プリンタは、長辺方向の側面の両端部に、長辺方向と直交する短辺方向に貫通した貫通孔を有している。上記プリンタ梱包体では、プリンタを搬入・設置する際、まず持ち手部材をプリンタの貫通孔に差しこんで、プリンタに持ち手部材を固定する。そして、４人以上の作業者が持ち手部材を握ってプリンタを持ち上げ、プリンタの搬入やスタンド上への設置を行う。
【発明の概要】
【発明が解決しようとする課題】
【０００４】
しかし、上記設置方法では、プリンタの設置場所までの移動経路に狭い通路やらせん状の階段があったり、プリンタを設置する建屋の扉（搬入口）が小さかったりすると、プリンタから飛び出した持ち手部材が搬入の障害になる。また、プリンタを狭小スペースに設置する場合には、プリンタの周囲に大勢の人がいると、スタンドへの設置作業を行う際に邪魔になる。加えて、上記設置方法では、作業者の手の力だけでプリンタを持ち上げる。このため、単純に作業者の人数を減らすと、途中で手や腕が疲れたり、うっかり手が滑ったりして、プリンタが落下して破損する虞がある。したがって、より少ない人数（例えば２人）で安定してプリンタを持ち上げることができる設置方法が求められていた。
【０００５】
本発明はかかる点に鑑みてなされたものであり、その目的は、設置作業性の向上したプリンタおよびプリンタ持上用治具、ならびにプリンタシステムの設置方法を提供することである。
【課題を解決するための手段】
【０００６】
本発明に係るプリンタは、底面に、プリンタ持上用治具を取り付ける治具取付部を有する。前記プリンタ持上用治具は、前記プリンタに取り付けられる被取付部と、紐状体を連結する連結部と、を有する。前記プリンタは、前記治具取付部に前記プリンタ持上用治具の前記被取付部を取り付け、前記連結部に前記紐状体を連結させた状態において、前記紐状体で持ち上げ可能に構成されている。
【０００７】
本発明に係るプリンタ持上用治具は、プリンタに取り付けられる被取付部と、紐状体を連結する連結部と、を有する。
【０００８】
本発明に係るプリンタユニットは、底面に治具取付部を有するプリンタと、紐状体を連結する連結部を有し、前記プリンタの前記治具取付部に取り付けられているプリンタ持上用治具と、を備え、前記連結部に前記紐状体を連結させた状態において、前記紐状体で持ち上げ可能に構成されている。
【０００９】
本発明に係るプリンタシステムの設置方法は、次の工程：底面に、プリンタ持上用治具を取り付ける取付部を有するプリンタを用意する用意工程と；前記プリンタに取り付けられる被取付部と、紐状体を連結する連結部と、を有するプリンタ持上用治具を用意し、前記プリンタの前記治具取付部に前記プリンタ持上用治具の前記被取付部を取り付ける、治具取付工程と；前記連結部に前記紐状体を連結し、少なくとも前記紐状体を使用して前記プリンタを運搬する、運搬工程と；前記プリンタを支持するスタンドを用意し、前記スタンドの上に前記プリンタを固定する、組立工程と；を包含する。
【００１０】
本発明では、プリンタにプリンタ持上用治具を取り付け、プリンタ持上用治具に紐状体を連結させた状態において、紐状体でプリンタを持ち上げることができる。これにより、作業者は、体全体（特には足腰）を効率良く使ってプリンタを運搬することができる。したがって、作業者の手や腕にかかる負担を軽減することができる。その結果、プリンタの設置環境（例えば、設置場所までの移動経路や扉（搬入口）のサイズなど）に応じて作業者の人数を減らしても、安定してプリンタを運搬することができる。また、狭小スペースでの設置作業性を向上することができる。
【発明の効果】
【００１１】
本発明によれば、設置作業性の向上したプリンタおよびプリンタシステムの設置方法、ならびにプリンタ持上用治具を提供することができる。
【図面の簡単な説明】
【００１２】
【図１】一実施形態に係るプリンタシステムを示す分解斜視図である。
【図２】プリンタの正面図である。
【図３】プリンタの底面図である。
【図４】プリンタ持上用治具を示す斜視図である。
【図５】プリンタ設置の手順を示したフローチャートである。
【図６】プリンタ梱包体を示す斜視図である。
【図７】プリンタ梱包体の底面図である。
【図８】プリンタにプリンタ持上用治具と持ち手部材とを取り付けた状態の底面図である。
【図９】プリンタの運搬方法の一例を表す斜視図である。
【発明を実施するための形態】
【００１３】
以下、図面を参照しながら、一実施形態に係るプリンタおよびプリンタ持上用治具ならびにプリンタ設置方法について説明する。なお、ここで説明される実施形態は、当然ながら特に本発明を限定することを意図したものではない。また、同じ作用を奏する部材、部位には同じ符号を付し、重複する説明は適宜省略または簡略化する。なお、本明細書において「プリンタ」とは、二次元の画像を印刷する、所謂、２Ｄプリンタと、三次元の造形物を造形する、所謂、３Ｄプリンタ（三次元造形装置）と、を包含する用語である。
【００１４】
また、以下の説明において、左、右、上、下とは、プリンタ１０の正面にいるユーザ（プリンタ１０の使用者）から見た左、右、上、下をそれぞれ意味し、プリンタ１０からユーザに近づく方を前方、遠ざかる方を後方とする。また、図面中の符号Ｆ、Ｒｒ、Ｌ、Ｒ、Ｕ、Ｄは、それぞれ、前、後、左、右、上、下を表すものとする。ただし、これらは説明の便宜上の方向に過ぎず、プリンタ１０の設置態様を何ら限定するものではない。
【００１５】
≪プリンタシステム≫
図１は、プリンタシステム１の分解斜視図である。プリンタシステム１は、記録媒体５に印刷を行うためのものである。プリンタシステム１は、インクジェットプリンタ（以下、単に「プリンタ」という。）１０と、スタンド４０と、を備えている。なお、本明細書において「インクジェットプリンタ」とは、従来公知のインクジェット技術による印刷方法、例えば、二値偏向方式あるいは連続偏向方式などの連続方式や、サーマル方式、あるいは圧電素子方式などの各種のオンデマンド方式を利用したプリンタ全般をいう。
【００１６】
スタンド４０は、プリンタ１０よりも下方に配置されている。スタンド４０は、床面に接触して、プリンタ１０を支持している。スタンド４０は、第１接続部４０Ｌおよび第２接続部４０Ｒと、第１左脚部４１Ｌおよび第２左脚部４２Ｌと、第１右脚部４１Ｒおよび第２右脚部４２Ｒと、を備えている。第１接続部４０Ｌおよび第２接続部４０Ｒは、矩形平板状である。第１接続部４０Ｌおよび第２接続部４０Ｒは、被取付部４３を有している。被取付部４３は、それぞれ、プリンタ１０の底壁１２Ｄ（図２参照）に取り付けられている。第１接続部４０Ｌおよび第２接続部４０Ｒは、プリンタ１０の底壁１２Ｄに当接している。第１左脚部４１Ｌおよび第１右脚部４１Ｒは、それぞれ、第１接続部４０Ｌおよび第２接続部４０Ｒの下端から上下方向Ｚに延びている。第２左脚部４２Ｌおよび第２右脚部４２Ｒは、それぞれ、第１左脚部４１Ｌおよび第１右脚部４１Ｒの下端から前後方向Ｘに延びている。
【００１７】
図２は、プリンタ１０の正面図である。プリンタ１０は、２Ｄプリンタである。プリンタ１０は、大判サイズの記録媒体５に対して印刷を行う大型プリンタである。プリンタ１０は、スタンド４０の第１接続部４０Ｌおよび第２接続部４０Ｒに固定されている。プリンタ１０は、スタンド４０に支持されている。プリンタ１０は、左右方向Ｙに延びている。プリンタ１０は、平面視において略長方形状である。ここでは、平面視におけるプリンタ１０の短辺方向が前後方向Ｘに一致し、長辺方向が左右方向Ｙに一致している。プリンタ１０は、カートリッジホルダ１１と、ケーシング１２と、プラテン１４と、ガイドレール１５と、キャリッジ１６と、インクヘッド１９と、制御装置２０と、を備えている。
【００１８】
記録媒体５は、本実施形態ではロール状の媒体である。記録媒体５には、普通紙やインクジェット用印刷紙などの紙類はもちろんのこと、例えば、ポリ塩化ビニル（polyvinyl chloride、PVC）やポリエステルなどの樹脂材料、織布や不織布などの布帛、アルミニウム、鉄、木材、ガラスなどの各種の材料からなる媒体が含まれる。
【００１９】
ケーシング１２は、底壁１２Ｄと、後壁１２Ｒｒ（図１参照）と、左壁１２Ｌと、右壁１２Ｒと、上壁１２Ｕと、前壁１２Ｆと、上カバー１３Ｕ（図１参照）と、左サイドカバー１３Ｌと、右サイドカバー１３Ｒと、フロントカバー１３Ｆ（図１参照）と、左内壁１２ＩＬと、右内壁１２ＩＲと、を有している。後壁１２Ｒｒは、底壁１２Ｄの後端から上方に延びている。左壁１２Ｌは、底壁１２Ｄの左端から上方に延びている。左壁１２Ｌの後端は、後壁１２Ｒｒの左端に接続されている。右壁１２Ｒは、底壁１２Ｄの右端から上方に延びている。右壁１２Ｒの後端は、後壁１２Ｒｒの右端に接続されている。上壁１２Ｕは、後壁１２Ｒｒの上端、左壁１２Ｌの上端、および右壁１２Ｒの上端にそれぞれ接続されている。前壁１２Ｆは、上壁１２Ｕの前端から前方かつ下方に延びている。
【００２０】
上カバー１３Ｕは、前壁１２Ｆの左方に設けられている。上カバー１３Ｕは、前壁１２Ｆに形成された開口に取り付けられ、下端部に接続されたヒンジ（図示せず）によって前方に開くように構成されている。左サイドカバー１３Ｌは、ケーシング１２の前方の左端に設けられている。右サイドカバー１３Ｒは、ケーシング１２の前方の右端に設けられている。フロントカバー１３Ｆは、左サイドカバー１３Ｌと右サイドカバー１３Ｒとの間に設けられている。フロントカバー１３Ｆは、上端を軸にして回転可能なように、ケーシング１２に支持されている。印刷時には、フロントカバー１３Ｆが上端を軸にして上方に開かれる。
【００２１】
左内壁１２ＩＬは、左壁１２Ｌよりも右方かつ右内壁１２ＩＲよりも左方に配置されている。左内壁１２ＩＬは、後壁１２Ｒｒから前方に延びている。左内壁１２ＩＬは、左壁１２Ｌと平行に延びている。右内壁１２ＩＲは、右壁１２Ｒよりも左方かつ左内壁１２ＩＬよりも右方に配置されている。右内壁１２ＩＲは、後壁１２Ｒｒから前方に延びている。右内壁１２ＩＲは、右壁１２Ｒと平行に延びている。
【００２２】
プリンタ１０は、左内壁１２ＩＬと右内壁１２ＩＲとによって、左側部１０Ｌ、中央部１０Ｍ、右側部１０Ｒの３つに区画されている。左側部１０Ｌは、ケーシング１２の左方に位置している。左側部１０Ｌは、底壁１２Ｄと、後壁１２Ｒｒと、左壁１２Ｌと、左内壁１２ＩＬと、上壁１２Ｕと、前壁１２Ｆと、上カバー１３Ｕと、左サイドカバー１３Ｌと、で囲まれている。中央部１０Ｍは、ケーシング１２の中央に位置している。中央部１０Ｍは、底壁１２Ｄと、後壁１２Ｒｒと、上壁１２Ｕと、左内壁１２ＩＬと、右内壁１２ＩＲと、前壁１２Ｆと、フロントカバー１３Ｆと、で囲まれている。右側部１０Ｒは、ケーシング１２の右方に位置している。右側部１０Ｒは、底壁１２Ｄと、後壁１２Ｒｒと、右壁１２Ｒと、右内壁１２ＩＲと、上壁１２Ｕと、前壁１２Ｆと、右サイドカバー１３Ｒと、で囲まれている。
【００２３】
カートリッジホルダ１１は、ケーシング１２の左側部１０Ｌの内部に配置されている。カートリッジホルダ１１には、インクが充填された８つのインクカートリッジ１１Ｃが着脱自在に装着されている。８つのインクカートリッジ１１Ｃには、例えば、シアンインク、マゼンタインク、イエローインク、ブラックインク、ライトシアンインク、ライトマゼンタインク、ライトブラックインク、ホワイトインクが貯留されている。ただし、インクの種類（色など）や個数は何ら限定されない。インクカートリッジ１１Ｃの着脱は、上カバー１３Ｕを開いた状態で行われる。インクカートリッジ１１Ｃには、インク取出口（図示せず）が設けられている。インク取出口は、インクカートリッジ１１Ｃがカートリッジホルダ１１に装着されることで、インク経路１９Ｌの一端に接続される。インクカートリッジ１１Ｃに貯留されているインクは、インク経路１９Ｌを介して、インクヘッド１９に供給される。インク経路１９Ｌは、柔軟性や可撓性を有し、弾性変形可能なように構成されている。インク経路１９Ｌの構成は特に限定されないが、ここでは樹脂製の変形容易なチューブである。
【００２４】
プラテン１４は、ケーシング１２の中央部１０Ｍかつ前方に設けられ、左右方向Ｘに延びている。プラテン１４には、記録媒体５が載置される。プラテン１４は、印刷の際、記録媒体５を支持するものである。プラテン１４には、上下一対のグリットローラ（図示せず）およびピンチローラ（図示せず）が設けられている。グリットローラはフィードモータ（図示せず）に連結されている。グリットローラはフィードモータによって回転駆動される。記録媒体５がグリットローラとピンチローラとの間に挟まれた状態でグリットローラが回転すると、記録媒体５は前後方向Ｘに搬送される。
【００２５】
ガイドレール１５は、ケーシング１２の中央部１０Ｍに設けられ、左右方向Ｘに延びている。ガイドレール１５は、プラテン１４の上方かつ後方に配置されている。ガイドレール１５の左端は、左内壁１２ＩＬに固定されている。ガイドレール１５の右端は、右内壁１２ＩＲに固定されている。ガイドレール１５には、キャリッジ１６がスライド自在に係合している。キャリッジ１６は、ガイドレール１５に沿って左右方向Ｙに摺動自在に構成されている。キャリッジ１６の後部には、無端状のベルト１７が固定されている。ベルト１７は、ガイドレール１５の左端側および右端側に配置されたプーリ１８Ａ，１８Ｂに巻き掛けられている。プーリ１８Ａには、キャリッジモータ１６Ａが連結されている。キャリッジモータ１６Ａは、制御装置２０と電気的に接続されており、制御装置２０によって制御される。キャリッジモータ１６Ａが駆動すると、プーリ１８Ａが回転してベルト１７が走行する。これにより、キャリッジ１６がガイドレール１５に沿って左右方向に移動する。
【００２６】
インクヘッド１９は、記録媒体５に向かってインクの液滴を吐出するものである。インクヘッド１９は、プラテン１４よりも上方に位置している。インクヘッド１９は、キャリッジ１６に搭載されている。インクヘッド１９は、キャリッジ１６を介してガイドレール１５にスライド自在に係合している。インクヘッド１９は、インク経路１９Ｌによってインクカートリッジ１１Ｃと連通されている。インクヘッド１９は、ここではインクカートリッジ１１Ｃと同じ数（８つ）である。８つのインクヘッド１９は、左右方向に並んでいる。
【００２７】
制御装置２０は、ケーシング１２の右側部１０Ｒの内部に配置されている。制御装置２０は、プリンタ１０の各部の動作を制御する。制御装置２０は、例えば、印刷用データなどを受信するインターフェイス（Ｉ／Ｆ）と、制御プログラムの命令を実行する中央演算処理装置（ＣＰＵ：central processing unit）と、ＣＰＵが実行するプログラムなどを格納したＲＯＭ（read only memory）と、プログラムを展開するワーキングエリアとして使用されるＲＡＭ（random access memory）と、を備えていてもよい。
【００２８】
制御装置２０は、フィードモータ（図示せず）と、キャリッジ１６のキャリッジモータ１６Ａと、インクヘッド１９と、に通信可能に接続されており、これらの動作を制御する。制御装置２０は、フィードモータを制御することで記録媒体５を前後方向Ｘ（副走査方向）に搬送する。制御装置２０は、キャリッジモータ１６Ａを制御することでキャリッジ１６およびインクヘッド１９の左右方向Ｙ（主走査方向）への移動を制御する。制御装置２０は、インクヘッド１９を制御することでノズルからのインクの吐出を制御する。
【００２９】
図３は、プリンタ１０の底面図である。底壁１２Ｄは、板状の部材である。底壁１２Ｄは、例えばステンレス鋼などの板金で構成されている。底壁１２Ｄには、スタンド取付部３０Ｌ，３０Ｒと、第１治具取付部３１Ｌ，３１Ｒと、第２治具取付部３２Ｌ，３２Ｒと、が形成されている。第１治具取付部３１Ｌ，３１Ｒと第２治具取付部３２Ｌ，３２Ｒとを底壁１２Ｄに設けることにより、例えば、後壁１２Ｒｒ、左壁１２Ｌ、右壁１２Ｒなどに設ける場合に比べて、強度およびデザイン性を向上することができる。なお、スタンド取付部３０Ｌ，３０Ｒは必須ではなく、他の実施形態（例えば、プリンタ１０をテーブルなどの支持台上に載置する場合）において、有していなくてもよい。また、第２治具取付部３２Ｌ，３２Ｒは必須ではなく、他の実施形態において、有していなくてもよい。
【００３０】
スタンド取付部３０Ｌ，３０Ｒは、スタンド４０が直接取り付けられる部位である。左右方向Ｙにおいて、スタンド取付部３０Ｌは、第１治具取付部３１Ｌと第２治具取付部３２Ｌとの間に形成され、スタンド取付部３０Ｒは、第１治具取付部３１Ｒと第２治具取付部３２Ｒとの間に形成されている。スタンド取付部３０Ｌ，３０Ｒは、スタンド４０の第１接続部４０Ｌおよび第２接続部４０Ｒを、プリンタ１０の重心に対して対称に取り付け可能なように配設されている。スタンド取付部３０Ｌ，３０Ｒは、それぞれ２つの取付孔３０ｈを有している。各２つの取付孔３０ｈは、それぞれ底壁１２Ｄの前端に形成されている。取付孔３０ｈの内壁には、固定溝（例えばネジ溝）が形成されている。プリンタシステム１において、スタンド取付部３０Ｌは、２つの取付孔３０ｈに、それぞれ、ねじ等の固定具が挿入されることによって、スタンド４０の第１接続部４０Ｌに固定されている。同様に、スタンド取付部３０Ｒは、２つの取付孔３０ｈに、それぞれ、ねじ等の固定具が挿入されることによって、スタンド４０の第２接続部４０Ｒに固定されている。
【００３１】
第１治具取付部３１Ｌ，３１Ｒは、プリンタ１０を持ち上げる際などに、後述するプリンタ持上用治具５０（図４参照）が直接取り付けられる部位である。第１治具取付部３１Ｌ，３１Ｒは、プリンタ持上用治具５０を取り付けたときに、スタンド取付部３０Ｌ，３０Ｒおよびスタンド４０と干渉しない位置に配設されている。第１治具取付部３１Ｌ，３１Ｒは、プリンタ持上用治具５０をプリンタ１０の重心に対して対称に取り付け可能なように配設されている。例えば、第１治具取付部３１Ｌ，３１Ｒは、前後方向Ｘにおいて、プリンタ１０の重心からプリンタ持上用治具５０の両端までの長さが略均等になるように、プリンタ持上用治具５０を取り付け可能なように配設されている。第１治具取付部３１Ｌ，３１Ｒは、ここでは左側部１０Ｌおよび右側部１０Ｒの部分の底壁１２Ｄに形成されている。左右方向Ｙにおいて、第１治具取付部３１Ｌ，３１Ｒは、左内壁１２ＩＬおよび右内壁１２ＩＲよりも端側（プリンタ１０の中央から離れた側）に形成されている。左右方向Ｙにおいて、第１治具取付部３１Ｌ，３１Ｒは、プラテン１４およびガイドレール１５よりも端側に形成されている。左右方向Ｙにおいて、第１治具取付部３１Ｌ，３１Ｒは、スタンド取付部３０Ｌ，３０Ｒよりも端側に形成されている。第１治具取付部３１Ｌ，３１Ｒは、底壁１２Ｄの左右方向Ｙの両端（左端および右端）に形成されている。
【００３２】
第１治具取付部３１Ｌ，３１Ｒは、それぞれ、２つの前側取付孔３１Ｆｈと、２つの後側取付孔３１Ｒｈと、を有している。２つの前側取付孔３１Ｆｈは、底壁１２Ｄの前端に形成されている。２つの前側取付孔３１Ｆｈは、前後方向Ｘの位置が揃っている。２つの後側取付孔３１Ｒｈは、底壁１２Ｄの後端に形成されている。２つの後側取付孔３１Ｒｈは、それぞれ、左右方向Ｙの位置が前側取付孔３１Ｆｈと揃っている。前側取付孔３１Ｆｈおよび後側取付孔３１Ｒｈの内壁には、固定溝（例えばネジ溝）が形成されている。前側取付孔３１Ｆｈおよび後側取付孔３１Ｒｈに、それぞれ、ねじ等の固定具が挿入され、プリンタ持上用治具５０が取り付けられる。これにより、プリンタ１０には、最大２つのプリンタ持上用治具５０が取り付け可能となっている。
【００３３】
第２治具取付部３２Ｌ，３２Ｒは、プリンタ１０を持ち上げる際などに、後述する持ち手部材６０（図８参照）が直接取り付けられる部位である。第２治具取付部３２Ｌ，３２Ｒは、持ち手部材６０を取り付けたときに、スタンド取付部３０Ｌ，３０Ｒ、スタンド４０、第１治具取付部３１Ｌ，３１Ｒ、およびプリンタ持上用治具５０のいずれとも干渉しない位置に配設されている。第２治具取付部３２Ｌ，３２Ｒは、持ち手部材６０をプリンタ１０の重心に対して対称に取り付け可能なように配設されている。例えば、第２治具取付部３２Ｌ，３２Ｒは、前後方向Ｘにおいて、プリンタ１０の重心から持ち手部材６０の両端までの長さが略均等になるように、持ち手部材６０を取り付け可能なように配設されている。第２治具取付部３２Ｌ，３２Ｒは、中央部１０Ｍの部分の底壁１２Ｄに形成されている。平面視において、第２治具取付部３２Ｌ，３２Ｒは、プラテン１４および／またはガイドレール１５と重なる位置に形成されている。左右方向Ｙにおいて、第２治具取付部３２Ｌ，３２Ｒは、スタンド取付部３０Ｌ，３０Ｒおよび第１治具取付部３１Ｌ，３１Ｒよりも中央側に形成されている。
【００３４】
第２治具取付部３２Ｌ，３２Ｒは、それぞれ、前側取付孔３２Ｆｈと、後側取付孔３２Ｒｈと、を有している。前側取付孔３２Ｆｈは底壁１２Ｄの前端に形成され、後側取付孔３２Ｒｈは底壁１２Ｄの後端に形成されている。前側取付孔３２Ｆｈと後側取付孔３２Ｒｈとは、前後方向Ｘに沿って平行に形成されている。前側取付孔３２Ｆｈおよび後側取付孔３２Ｒｈの内壁には、固定溝（例えばネジ溝）が形成されている。前側取付孔３２Ｆｈおよび後側取付孔３２Ｒｈに、それぞれ、ねじ等の固定具が挿入され、持ち手部材６０が締結される。これにより、プリンタ１０には、最大２つの持ち手部材６０が取り付け可能となっている。
【００３５】
≪プリンタ持上用治具≫
図４は、プリンタ持上用治具５０を示す斜視図である。プリンタ持上用治具５０は、プリンタ１０を持ち上げる際などに、プリンタ１０の第１治具取付部３１Ｌ，３１Ｒにそれぞれ取り付けられる。プリンタ持上用治具５０は、例えば鉄などの金属製やプラスチック製である。プリンタ持上用治具５０は、プリンタ１０の底壁１２Ｄと同じ材質で形成されていてもよい。プリンタ持上用治具５０は、前後方向Ｘに沿って延びている。プリンタ持上用治具５０は、平面視において略長方形状である。ここでは、平面視におけるプリンタ持上用治具５０の短辺方向が左右方向Ｙに一致し、長辺方向が前後方向Ｘに一致している。特に限定されるものではないが、プリンタ持上用治具５０の前後方向Ｘの最大長さＬ１は、プリンタ１０の左右方向Ｙの最大長さＬ２（図３参照）と同じかそれよりも短いとよい。これにより、プリンタ１０を搬入・設置する際に、プリンタ持上用治具５０が搬入経路で邪魔になりにくい。プリンタ持上用治具５０の厚みＬ３は、後述する第１〜第３梱包部材１１０，１２０，１３０（図６参照）の厚みＴと同じかそれよりも小さいとよい。
【００３６】
プリンタ持上用治具５０は、一対の幅広面５１Ｕ，５１Ｄと、一対の幅狭面５２Ｆ，５２Ｒと、を有している。一対の幅広面５１Ｕ，５１Ｄは、上下方向Ｚに対向している。上方の幅広面５１Ｕは、プリンタ１０に取り付けられる被取付面である。プリンタ持上用治具５０をプリンタ１０に取り付けたとき、幅広面５１Ｕは、プリンタ１０と当接する面である。一対の幅狭面５２Ｆ，５２Ｒは、前後方向Ｘに対向している。一対の幅狭面５２Ｆ，５２Ｒは、一対の幅広面５１Ｕ，５１Ｄの間に介在している。
【００３７】
上方の幅広面５１Ｕは、被取付部５３を有している。被取付部５３は、プリンタ１０の第１治具取付部３１Ｌ，３１Ｒに取り付けられる部位である。被取付部５３は、２つの前側取付孔５１Ｆｈと、２つの後側取付孔５１Ｒｈと、を有している。前側取付孔５１Ｆｈおよび後側取付孔５１Ｒｈの内壁には、固定溝（例えばネジ溝）が形成されていない。前側取付孔５１Ｆｈおよび後側取付孔５１Ｒｈには、ねじ等の固定具が遊挿される。
【００３８】
２つの前側取付孔５１Ｆｈは、幅広面５１Ｕの前端に形成されている。２つの前側取付孔５１Ｆｈは、前後方向Ｘに延びた長穴状である。２つの前側取付孔５１Ｆｈは、所謂、だるま穴である。２つの前側取付孔５１Ｆｈは、平面視で第１の内径を有し、幅広面５１Ｕの前端側に形成された第１孔５１１と、第１の内径よりも大きい第２の内径を有し、幅広面５１Ｕの後端側に形成された第２孔５１２と、が前後方向Ｘに連通されて形成されている。２つの第１孔５１１は、前後方向Ｘの位置が揃っている。２つの第１孔５１１は、プリンタ１０の前側取付孔３１Ｆｈと対応する位置に形成されている。２つの後側取付孔５１Ｒｈは、幅広面５１Ｕの前後方向Ｘの中央部に形成されている。２つの後側取付孔５１Ｒｈは、それぞれ、左右方向Ｙの位置が第１孔５１１と揃っている。２つの後側取付孔５１Ｒｈは、プリンタ１０の後側取付孔３１Ｒｈと対応する位置に形成されている。幅広面５１Ｄは、上下方向Ｚに貫通した２つの貫通孔５１Ｄｈを有している。一方の貫通孔５１Ｄｈは、２つの前側取付孔５１Ｆｈと対向する位置に形成されている。もう一方の貫通孔５１Ｄｈは、２つの後側取付孔５１Ｒｈと対向する位置に形成されている。
【００３９】
プリンタ持上用治具５０は、一対の幅広面５１Ｕ，５１Ｄと一対の幅狭面５２Ｆ，５２Ｒとによって囲まれ、前後方向Ｘに貫通した貫通孔５０Ｔを有している。貫通孔５０Ｔは、プリンタ１０を持ち上げる際に、紐状体（バンド、ベルト、ロープなどを包含する。以下同じ。）５４を挿通するための紐挿通孔である。貫通孔５０Ｔは、紐状体５４を連結する連結部の一例である。貫通孔５０Ｔの幅（左右方向Ｙの長さ）は、紐状体５４の幅と同じかそれよりも大きい。ここでは、貫通孔５０Ｔの幅Ｗは６５ｍｍであるが、これに限られることはなく、概ね３０ｍｍ以上、例えば５０〜１５０ｍｍの範囲で選んでもよい。貫通孔５０Ｔの高さ（上下方向Ｚの長さ）は、紐状体５４の厚みと同じかそれよりも大きい。ここでは、貫通孔５０Ｔの高さＨは２１ｍｍであるが、これに限られることはなく、概ね１０ｍｍ以上、例えば２０〜４０ｍｍの範囲で選んでもよい。紐状体５４は、貫通孔５０Ｔに固定されてもよいし、遊挿されてもよい。
【００４０】
紐状体５４は、プリンタ１０を持ち上げているときに途中で千切れることがない耐荷重を有する。例えば２本の紐状体５４でプリンタ１０を持ち上げる場合には、紐状体５４の耐荷重が、プリンタ１０の重さの１／２よりも大きい。紐状体５４の耐荷重は、プリンタ１０の重さよりも大きいとよい。紐状体５４は、持ち手部材６０に比べて柔軟性が高い。紐状体５４の材質は、例えばポリエステルやナイロンであってもよい。紐状体５４は、所謂、ベルトスリング（スリングベルト）であってもよい。紐状体５４は、貫通孔５０Ｔに挿通した状態で作業者の体の一部（典型的には上半身、例えば肩）に巻き掛けられるような長さを有するとよい。紐状体５４は、作業者の身長や体形に合わせて長さ調節が可能な長さ調節部を有していてもよい。紐状体５４は、作業者が体に巻き掛けたときに体に食い込みにくくするため、幅広であるとよい。紐状体５４は、全域で均一の幅を有していてもよいし、例えば、体（肩）に巻き掛ける部分の幅が、貫通孔５０Ｔに挿通させる部分の幅よりも幅広であってもよい。紐状体５４の幅（例えば、肩に巻き掛ける部分の幅）は、概ね２５ｍｍ以上、例えば１００ｍｍ以上、一例では１００〜３００ｍｍであってもよい。
【００４１】
≪プリンタ設置方法≫
図５は、プリンタシステム１の設置の手順を示したフローチャートである。プリンタシステム１は、例えば次の工程：（ステップＳ１）用意工程；（ステップＳ２）開梱工程；（ステップＳ３）治具取付工程；（ステップＳ４）運搬工程；（ステップＳ５）組立工程；を包含する設置方法によって、所望の設置場所に設置することができる。ただし、任意の段階でその他の工程を包含することは妨げられない。また、ステップＳ２、Ｓ５については必須ではなく、他の実施形態において省略することも可能である。また、ステップＳ１〜Ｓ４は、プリンタ１０の設置方法としても把握し得る。また、ステップＳ３〜Ｓ４は、プリンタ１０の移動方法としても把握し得る。以下、各工程について順に説明する。
【００４２】
（ステップＳ１）用意工程では、プリンタ１０が梱包されてなるプリンタ梱包体１００を用意する。物流段階において、プリンタ１０は、スタンド４０と分かれた状態で梱包されている。図６は、プリンタ梱包体１００を示す斜視図である。プリンタ梱包体１００は、図示しない内装体（例えばビニールシート）で包装されたプリンタ１０と、第１〜第３梱包部材１１０，１２０，１３０と、パレット１４０と、を備え、これらが、図示しない外装体（例えば段ボール箱やビニールシート）に収容されて構成されている。パレット１４０は、プリンタ１０を載せる載置台である。パレット１４０は、プリンタ１０および第１〜第３梱包部材１１０，１２０，１３０の下方に配置されている。第１〜第３梱包部材１１０，１２０，１３０は、物流段階（特には輸送時）の衝撃や振動を吸収して、プリンタ１０を保護するための部材である。第１〜第３梱包部材１１０，１２０，１３０は、例えば、発砲ウレタンや発泡スチロールなどの緩衝材である。第１〜第３梱包部材１１０，１２０，１３０は、プリンタ１０の少なくとも下方に配置されている。第１〜第３梱包部材１１０，１２０，１３０は同じ厚みＴを有する。
【００４３】
図７は、プリンタ梱包体１００の底面図である。なお、図７では、パレット１４０の図示を省略し、プリンタ１０と第１〜第３梱包部材１１０，１２０，１３０との相対関係のみを示している。第１梱包部材１１０は、第１基部１１１と第１立設部１１２とを有している。第１基部１１１は、プリンタ１０の左側部１０Ｌの下方に配置されている。第１基部１１１の前後方向Ｘの長さは、プリンタ１０の左側部１０Ｌの前後方向Ｘの長さよりも長い。第１基部１１１の左右方向Ｙの長さは、プリンタ１０の左側部１０Ｌの左右方向Ｙの長さよりも長い。第１立設部１１２は、第１基部１１１の左端および後端から、プリンタ１０の左壁１２Ｌおよび後壁１２Ｒｒに沿って上方に延びている。第２梱包部材１２０は、第２基部１２１と第２立設部１２２とを有している。第２基部１２１は、プリンタ１０の右側部１０Ｒの下方に配置されている。第２基部１２１の前後方向Ｘの長さは、プリンタ１０の右側部１０Ｒの前後方向Ｘの長さよりも長い。第２基部１２１の左右方向Ｙの長さは、プリンタ１０の右側部１０Ｒの左右方向Ｙの長さよりも長い。第２立設部１２２は、第２基部１２１の右端および後端から、プリンタ１０の右壁および後壁に沿って上方に延びている。
【００４４】
第３梱包部材１３０は、プリンタ１０の中央部１０Ｍの下方に配置されている。第３梱包部材１３０は、左右方向Ｙにおいて、第１梱包部材１１０の第１基部１１１と、第２梱包部材１２０の第２基部１２１と、の間に配置されている。第３梱包部材１３０は、第１梱包部材１１０と第２梱包部材１２０との間の空間が均等になるように、複数（ここでは３つ）配置されている。第３梱包部材１３０は、四角柱状である。第３梱包部材１３０は、前後方向Ｘに沿って延びている。第３梱包部材１３０の前後方向Ｘの長さは、プリンタ１０の中央部ＸＸの前後方向Ｘの長さよりも長い。
【００４５】
第１梱包部材１１０の左端部および第２梱包部材１２０の右端部には、前後方向Ｙに沿って、直線状の切り取り線１１０Ｃ，１２０Ｃが形成されている。切り取り線１１０Ｃ，１２０Ｃは、例えば破線状（ミシン目状）の切り込み溝である。切り取り線１１０Ｃ，１２０Ｃは、梱包部材１１０，１２０の本体部１１０Ｍ，１２０Ｍから、除去部１１０Ｌ，１２０Ｒを分割して、容易に切り離し可能なように構成されている。除去部１１０Ｌ，１２０Ｒは、プリンタ１０の底壁１２Ｄの第１治具取付部３１Ｌ，３１Ｒの部分、詳しくは前側取付孔３１Ｆｈおよび後側取付孔３１Ｒｈ、と対向する部分に配置されている。
【００４６】
（ステップＳ２）開梱工程では、まず、作業者は、図示しない外装体を取り除いて、図６に示すように、プリンタ１０と、第１〜第３梱包部材１１０，１２０，１３０と、パレット１４０と、を露わにする。次に、作業者は、第１梱包部材１１０の切り取り線１１０Ｃに沿って第１梱包部材１１０を分割し、除去部１１０Ｌを切り離す。また、第２梱包部材１２０の切り取り線１２０Ｃに沿って第２梱包部材１２０を分割し、除去部１２０Ｒを切り離す。これにより、プリンタ１０の底壁１２Ｄのうち、第１治具取付部３１Ｌ，３１Ｒの形成されている部分、詳しくは、前側取付孔３１Ｆｈおよび後側取付孔３１Ｒｈが形成されている部分を露出させる。
【００４７】
（ステップＳ３）治具取付工程は、第１治具取付工程と、第２治具取付工程と、を包含する。第１治具取付工程では、まず、２つのプリンタ持上用治具５０を用意する。プリンタ持上用治具５０は、ここではプリンタ梱包体１００には梱包されておらず、作業者（例えば、プリンタ１０を設置するサービス業者）が別途用意する。これにより、プリンタ持上用治具５０をプリンタ梱包体１００に梱包する場合に比べて、物流コストを軽減することができる。なお、プリンタ持上用治具５０の構成については、上述した通りである。次に、作業者は、２つのプリンタ持上用治具５０をプリンタ１０に取り付ける。具体的には、プリンタ１０の底壁１２Ｄに形成されている前側取付孔３１Ｆｈの位置に、プリンタ持上用治具５０の前側取付孔５１Ｆｈ（例えば内径の大きい第２孔５１２）の位置を合わせ、下方から固定具を挿入する。次に、プリンタ持上用治具５０を後方に引っ張り、前側取付孔３１Ｆｈの位置に、前側取付孔５１Ｆｈの第１孔５１１の位置を合わせる。この状態で、前側取付孔３１Ｆｈの固定溝に沿って固定具を上方に移動させる。次に、プリンタ１０の後側取付孔３１Ｒｈの位置に、プリンタ持上用治具５０の後側取付孔５１Ｒｈの位置を合わせ、下方から固定具を挿入する。この状態で、後側取付孔３１Ｒｈの固定溝に沿って固定具を上方に移動させる。これにより、第１治具取付部３１Ｌ，３１Ｒにプリンタ持上用治具５０が固定される。以上のようにして、図８に示すように、プリンタ１０の左右方向Ｙの両端にプリンタ持上用治具５０を取り付ける。
【００４８】
第２治具取付工程では、まず、２つの持ち手部材６０を用意する。持ち手部材６０は、ここではプリンタ梱包体１００には梱包されておらず、作業者（例えば、プリンタ１０を設置するサービス業者）が別途用意する。これにより、持ち手部材６０をプリンタ梱包体１００に梱包する場合に比べて、物流コストを軽減することができる。なお、持ち手部材６０は、従来と同様でよく、特に限定されない。持ち手部材６０は、円柱や角柱などの長棒状であってもよい。持ち手部材６０は、プリンタ１０に取り付けるための被取付部（図示せず）を有している。次に、作業者は、２つの持ち手部材６０をプリンタ１０に取り付ける。具体的には、プリンタ１０の底壁１２Ｄに形成されている前側取付孔３２Ｆｈおよび後側取付孔３２Ｒｈに、それぞれ、持ち手部材６０の被取付部の位置を合わせ、下方から固定具を挿入する。この状態で、前側取付孔３２Ｆｈおよび後側取付孔３２Ｒｈの固定溝に沿って固定具を上方に移動させる。これにより、第２治具取付部３２Ｌ，３２Ｒに持ち手部材６０が固定される。以上のようにして、図８に示すように、プリンタ１０に２つの持ち手部材６０を取り付ける。
【００４９】
（ステップＳ４）運搬工程では、まず、紐状体５４を用意する。紐状体５４は、ここではプリンタ梱包体１００には梱包されておらず、作業者（例えば、プリンタ１０を設置するサービス業者）が別途用意する。なお、紐状体５４については、上述した通りである。次に、作業者は、プリンタ持上用治具５０の貫通孔５０Ｔに紐状体５４を挿通し、紐状体５４をリング状に結ぶ。これにより、プリンタ持上用治具５０に紐状体５４を連結する。次に、作業者は、リング状の紐状体５４を体の一部（例えば肩）に巻き掛ける。図９に示すように、作業者は、紐状体５４を体に巻き掛けた状態でプリンタ１０を持ち上げることにより、自らの体をプリンタ１０と密着させることができる。これにより、作業者は、体全体（特には足腰）を効率良く使ってプリンタ１０を運搬することができる。その結果、作業者の手や腕にかかる負担を軽減し、少人数で安定してプリンタ１０を運搬することができる。また、例えばプリンタの突起部などに紐状体５４を無理矢理引っ掛ける場合に比べて、プリンタ１０が運搬途中で落下して破損するリスクを軽減することができる。
【００５０】
（ステップＳ５）組立工程では、まず、作業者は、別途組み立てたスタンド４０の上に、プリンタ１０を載せる。次に、作業者は、プリンタ１０の底壁１２Ｄに形成されている取付孔３０ｈに、それぞれ、スタンド４０の被取付部４３の位置を合わせ、下方からねじ等の固定具を挿入する。この状態で、取付孔３０ｈの固定溝に沿って固定具を上方に移動させる。これにより、スタンド取付部３０Ｌ，３０Ｒにスタンド４０が固定される。スタンド４０上へのプリンタ１０の設置が完了したら、作業者は、プリンタ１０からプリンタ持上用治具５０および持ち手部材６０を取り外す。このようにして、プリンタシステム１を設置することができる。
【００５１】
以上のように、本実施形態のプリンタ１０は、簡単に紐状体５４を取り付けることができる。これにより、作業者は、体全体（特には足腰）を効率良く使ってプリンタ１０を運搬することができる。したがって、作業者の手や腕にかかる負担を軽減することができる。その結果、例えば、プリンタ１０の設置環境、例えば設置場所までの移動経路や扉（搬入口）のサイズなどに応じて作業者の人数を減らしても、安定してプリンタ１０を運搬することができる。また、狭小スペースでの設置作業性を向上することができる。
【００５２】
本実施形態のプリンタ１０は、底壁１２Ｄに、プリンタ１０を支持するためのスタンド４０を取り付けるスタンド取付部３０Ｌ，３０Ｒをさらに有する。第１治具取付部３１Ｌ,３１Ｒは、プリンタ持上用治具５０を取り付けたときに、プリンタ持上用治具５０がスタンド取付部３０Ｌ,３０Ｒと干渉しない位置に配設されている。これにより、紐状体５４を使用してプリンタ１０を持ち上げながら、スタンド４０の取り付け作業を行うことができる。したがって、狭小スペースでの設置作業性をより一層向上することができる。
【００５３】
本実施形態のプリンタ１０では、治具取付部３１Ｌ,３１Ｒは、左右方向Ｙにおいて、スタンド取付部３０Ｌ，３０Ｒを挟んだ両側に配設されている。本実施形態のプリンタ１０では、治具取付部３１Ｌ,３１Ｒは、左右方向Ｙの両端部にそれぞれ配設されている。これにより、プリンタ１０の両端からプリンタ持上用治具５０をスムーズに取り付けることができ、設置作業の効率をより一層向上することができる。
【００５４】
本実施形態のプリンタ梱包体１００では、梱包部材１１０，１２０に、本体部１１０Ｍ，１２０Ｍと本体部１１０Ｍ，１２０Ｍから切り取られる除去部１１０Ｌ,１２０Ｒとを区画する切り取り線１１０Ｃ,１２０Ｃが設けられており、除去部１１０Ｌ,１２０Ｒは、プリンタ１０の治具取付部３１Ｌ,３１Ｒと対向する部分に配置されている。これにより、治具取付部３１Ｌ,３１Ｒを簡単に露出させて、プリンタ１０にプリンタ持上用治具５０を取り付けることができる。
【００５５】
本実施形態のプリンタ梱包体１００では、梱包部材１１０，１２０の厚みＴが、プリンタ持上用治具５０の厚みＬ３よりも厚い。これにより、除去部１１０Ｌ,１２０Ｒを切り取ることによって生まれた空間を利用して、プリンタ１０にプリンタ持上用治具５０を取り付けることができる。そのため、設置作業性をより一層向上することができる。
【００５６】
本実施形態のプリンタ持上用治具５０は、紐状体５４を挿通する貫通孔５０Ｔを有する。これにより、紐状体５４がプリンタ持上用治具５０とより強固に連結されて、紐状体５４がプリンタ持上用治具５０から外れにくくなる。そのため、安定感が増して、設置作業性をより一層向上することができる。
【００５７】
本実施形態のプリンタ持上用治具５０は、幅広面５１Ｕを有し、被取付部５３は幅広面５１Ｕに配設されており、幅広面５１Ｕがプリンタ１０と面で当接するようにプリンタ１０に取り付けられる。これにより、プリンタ持上用治具５０とプリンタ１０とがより強固に一体化されて、プリンタ持上用治具５０がズレにくくなる。また、幅広の紐状体５４を貫通孔５０Ｔに挿通しやすくなる。そのため、作業安定性を向上することができる。
【００５８】
本実施形態のプリンタユニットは、平面視で、プリンタ持上用治具５０の外形がプリンタ１０の外形の中に収まっている。これにより、プリンタ１０を搬入・設置する際に、プリンタ持上用治具５０が搬入経路で邪魔になりにくい。そのため、設置作業性をより一層向上することができる。
【００５９】
本実施形態のプリンタユニットは、複数のプリンタ持上用治具５０を備え、複数のプリンタ持上用治具５０がプリンタ１０の重心に対して対称の位置に配設されている。これにより、プリンタ１０を運搬する際にバランスを取り易くなり、プリンタ１０をより安定的に持ち上げることができる。
【００６０】
本実施形態の設置方法では、治具取付工程（ステップＳ３）において、プリンタ持上用治具５０が、紐状体５４を挿通する貫通孔５０Ｔを有し、貫通孔５０Ｔに紐状体５４を挿通させる。これにより、紐状体５４がプリンタ持上用治具５０とより強固に連結されて、プリンタ持上用治具５０から紐状体５４が外れにくくなる。そのため、設置作業性を向上することができる。
【００６１】
本実施形態の設置方法では、治具取付工程（ステップＳ３）において、プリンタ１０の左右方向Ｙと貫通孔５０Ｔの前後方向Ｘとが交差するように、プリンタ持上用治具５０を取り付ける。これにより、プリンタ１０をより安定的に持ち上げることができる。また、運搬中の振動を軽減することができる。
【００６２】
本実施形態の設置方法では、治具取付工程（ステップＳ３）において、複数のプリンタ持上用治具５０を用意し、プリンタ１０の重心に対して対称の位置に、複数のプリンタ持上用治具５０を取り付ける。これにより、プリンタ１０を運搬する際にバランスを取り易くなり、プリンタ１０をより安定的に持ち上げることができる。
【００６３】
以上、本実施形態に係るプリンタ１０について説明した。しかし、本発明に係るプリンタは、これに限定されない。本発明は、本明細書に開示されている内容と当該分野における技術常識とに基づいて実施することができる。請求の範囲に記載の技術には、上記に例示した実施形態を様々に変形、変更したものが含まれる。例えば、上記した実施形態の一部を、他の変形態様に置き換えることも可能であり、上記した実施形態に他の実施形態を追加することも可能である。また、上記した実施形態と以下の実施形態とを適宜組み合わせることもできる。また、その技術的特徴が必須なものとして説明されていなければ、適宜削除することも可能である。
【００６４】
例えば上記した実施形態では、第１治具取付部３１Ｌ，３１Ｒが、左側部１０Ｌおよび右側部１０Ｒの部分の底壁１２Ｄに形成されていた。また、第２治具取付部３２Ｌ，３２Ｒが、中央部１０Ｍの部分の底壁１２Ｄに形成されていた。また、左右方向Ｙにおいて、スタンド取付部３０Ｌが、第１治具取付部３１Ｌと第２治具取付部３２Ｌとの間に形成され、スタンド取付部３０Ｒが、第１治具取付部３１Ｒと第２治具取付部３２Ｒとの間に形成されていた。しかしこれには限定されない。第１治具取付部３１Ｌ，３１Ｒと第２治具取付部３２Ｌ，３２Ｒとスタンド取付部３０Ｌ，３０Ｒとの位置関係は、任意に決定することができる。
【００６５】
例えば上記した実施形態では、プリンタ１０には、最大２つの持ち手部材６０が取り付け可能となっていた。しかしこれには限定されない。例えば、プリンタ１０に第２治具取付部３２Ｌ，３２Ｒが形成されておらず、プリンタ１０は、持ち手部材６０が底壁１２Ｄに直接取り付けられないように構成されていてもよい。あるいは、プリンタ１０には３つ以上の（例えば３〜５つの）持ち手部材６０が取り付け可能に構成されていてもよい。
【００６６】
例えば上記した実施形態では、キャリッジ１６が主走査方向に移動し、記録媒体５が副走査方向に移動するように構成されていたが、これには限定されない。キャリッジ１６と記録媒体５との移動は相対的なものであり、そのどちらが主走査方向または副走査方向に移動してもよい。例えば、記録媒体５は移動不能に配置され、キャリッジ１６が走査方向および副走査方向の両方向に移動可能なように構成されていてもよい。また、キャリッジ１６および記録媒体５のいずれもが両方向に移動可能なように構成されていてもよい。また、プリンタ１０の構成は特に限定されない。プリンタ１０は、例えばフラットベッドタイプのプリンタであってもよい。プリンタ１０は、紫外線を照射する照射装置や、記録媒体５をカットするカッティングヘッドをさらに備えていてもよい。
【００６７】
例えば上記した実施形態では、プリンタ持上用治具５０の外形が四角柱状であった。しかしこれには限定されない。プリンタ持上用治具５０の外形は、例えば、四角柱以外の多角柱形状や、楕円柱形状などであってもよい。
【００６８】
例えば上記した実施形態では、プリンタ持上用治具５０が貫通孔５０Ｔを備え、貫通孔５０Ｔに紐状体５４を挿通することによって、紐状体５４を連結していた。しかしこれには限定されない。プリンタ持上用治具５０は、例えば、貫通孔５０Ｔにかえて、あるいは貫通孔５０Ｔに加えて、紐状体５４を係止する係止部を有していてもよい。
【００６９】
例えば上記した実施形態では、プリンタ１０が前側取付孔３１Ｆｈおよび後側取付孔３１Ｒｈを有しており、プリンタ持上用治具５０が前側取付孔５１Ｆｈおよび後側取付孔５１Ｒｈを有しており、固定具を挿入することによって、プリンタ１０にプリンタ持上用治具５０を固定していた。しかしこれには限定されない。例えばプリンタ１０が凸状部を有しており、プリンタ持上用治具５０が凹状部を有しており、凸状部と凹状部とを嵌め合わせることによって、プリンタ１０にプリンタ持上用治具５０を固定してもよい。
【符号の説明】
【００７０】
１０    インクジェットプリンタ（プリンタ）
３１Ｌ,３１Ｒ    治具取付部
５０    プリンタ持上用治具
５０Ｔ  連結部
５３    被取付部
５４    紐状体
Ｓ１    用意工程
Ｓ３    治具取付工程
Ｓ４    運搬工程
Ｓ５    組立工程
【図１】
2020104302.tif 000003
【図２】
2020104302.tif 000004
【図３】
2020104302.tif 000005
【図４】
2020104302.tif 000006
【図５】
2020104302.tif 000007
【図６】
2020104302.tif 000008
【図７】
2020104302.tif 000009
【図８】
2020104302.tif 000010
【図９】
2020104302.tif 000011